(57)【要約】【課題】インクジェット式記録装置が縦置きされた場合でも、横置きされた場合でも記録ヘッドへインクを安定して供給する。【解決手段】インクジェット式記録装置であって、縦置きされた場合に底面となる本体縦底面及び横置きされた場合に底面となる本体横底面を有する装置本体と、被記録物にインクを吐出して記録を行う記録ヘッドと、内部にインクを収容したインクカートリッジの供給口に接続し、インクカートリッジに収容されているインクを供給口から記録ヘッドへ供給する接続部とを備え、接続部は、インクカートリッジが取り付けられた場合に縦置き及び横置きのいずれの場合もインクカートリッジの供給口が水平方向を向く方向と、方向に直交する方向に回動可能に装置本体に保持される。【選択図】図７
2006192664.tif 000002
【特許請求の範囲】
【請求項１】
縦置きされた場合に底面となる本体縦底面及び横置きされた場合に底面となる本体横底面を有する装置本体と、
被記録物にインクを吐出して記録を行う記録ヘッドと、
内部にインクを収容したインクカートリッジの供給口に接続し、前記インクカートリッジに収容されているインクを前記供給口から前記記録ヘッドへ供給する接続部と
を備え、
前記接続部は、前記インクカートリッジが取り付けられた場合に前記縦置き及び前記横置きのいずれの場合も前記インクカートリッジの前記供給口が水平方向を向く方向と、当該方向に直交する方向に回動可能に前記装置本体に保持されるインクジェット式記録装置。
【請求項２】
前記接続部が前記直交する方向に向いた場合における、前記接続部から前記インクカートリッジが取り付けられる側に配され、前記装置本体との間で前記インクカートリッジを出し入れする扉部をさらに備える請求項１に記載のインクジェット式記録装置。
【請求項３】
それぞれ異なるインクを収容する複数の前記インクカートリッジがそれぞれ接続される複数の接続部を備え、
前記複数の接続部は、前記縦置き及び前記横置きのいずれの場合も水平方向に略一直線上に並んで配される請求項１または２に記載のインクジェット式記録装置。
【発明の詳細な説明】
【技術分野】
【０００１】
本発明は、２つ以上の底面を有し、それぞれを底面として置かれるインクジェット式記録装置に関する。特に、インクジェット式記録装置が縦置きされた場合及び横置きされた場合のいずれにおいても、インクカートリッジから記録ヘッドへ確実にインクを供給するインクジェット式記録装置に関する。
【背景技術】
【０００２】
インクジェット式記録装置において、インクを収容したインクカートリッジが着脱可能に装着され、このインクカートリッジの供給口から記録ヘッドへインクが供給され、記録ヘッドから被記録物にインクが吐出されて記録が行われる。このインクジェット式記録装置は通常、最も広い面を底面として平面に載置されるが、当該底面のほかに、これと直交する面を第二の底面として載置されるものが知られている（例えば、特許文献１を参照）。
【特許文献１】特開平１１−３１４４３２号公報
【発明の開示】
【発明が解決しようとする課題】
【０００３】
上記特許文献１に記載されたインクジェット式記録装置において、載置の向きを変えることにより、インクカートリッジにおける供給口の位置が側面から上面、下面へまたはその逆に変更されると、載置の向きを変える前後で、インクカートリッジ内に収容されているインクについて、供給口におけるインクの水頭値が変化する。これにより、例えば、縦置きの場合に側面にあった供給口が、横置きの場合に下面に来ると、インクカートリッジ内に収容されているインク分だけ供給口における水頭値が高くなり、記録ヘッドからインク滴が垂れ出すおそれがある。一方、縦置きの場合に側面にあった供給口が、横置きの場合に上面に来ると、供給口における水頭値が低くなり、記録ヘッドへのインクが供給不足になるおそれがある。
【課題を解決するための手段】
【０００４】
上記課題を解決するために、本発明の第１の形態においては、インクジェット式記録装置であって、縦置きされた場合に底面となる本体縦底面及び横置きされた場合に底面となる本体横底面を有する装置本体と、被記録物にインクを吐出して記録を行う記録ヘッドと、内部にインクを収容したインクカートリッジの供給口に接続し、インクカートリッジに収容されているインクを供給口から記録ヘッドへ供給する接続部とを備え、接続部は、インクカートリッジが取り付けられた場合に縦置き及び横置きのいずれの場合もインクカートリッジの供給口が水平方向を向く方向と、当該方向に直交する方向に回動可能に装置本体に保持される。これにより、インクカートリッジの着脱時に接続部を回転することができるので、縦置き及び横置きのいずれの場合もインクカートリッジの供給口が水平方向を向く方向に、インクカートリッジを容易に設置することができる。
【０００５】
接続部が直交する方向に向いた場合における、接続部からインクカートリッジが取り付けられる側に配され、装置本体との間でインクカートリッジを出し入れする扉部をさらに備えてもよい。これにより、使用時の方向に直交する方向からインクカートリッジを出し入れすることができ、インクカートリッジを容易に着脱することができる。
【０００６】
上記インクジェット式記録装置において、それぞれ異なるインクを収容する複数の前記インクカートリッジがそれぞれ接続される複数の接続部を備え、前記複数の接続部は、前記縦置き及び前記横置きのいずれの場合も水平方向に略一直線上に並んで配されてもよい。これにより、インクジェット式記録装置の縦置き及び横置きを変更した場合に、異なるインクカートリッジのインク間で水頭値がばらつくことを防ぐことができることができる。
【０００７】
なお、上記の発明の概要は、本発明の必要な特徴の全てを列挙したものではなく、これらの特徴群のサブコンビネーションもまた、発明となりうる。
【発明を実施するための最良の形態】
【０００８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【０００９】
図１は、本発明の実施形態に係るインクジェット式記録装置３０が横置きされた状態を示す。図１に示すインクジェット式記録装置３０は、机、テーブル等の安定した載置面１０上に載置された待機状態を示す。インクジェット式記録装置３０は、略直方体の外形を有する筐体３２と、この筐体３２の三面を覆う本体カバー４０とを有する。ここで、本体カバー４０および筐体３２は、インクジェット式記録装置３０の外形的特長を定めており、これらをまとめて装置本体３５という。これら筐体３２および本体カバー４０により、インクジェット式記録装置３０はハードカバーの書籍の外形を有する。書籍の裏表紙に相当する本体横底面４４は、当該書籍の背表紙に相当する本体縦底面４２よりも広い。
【００１０】
図１に示す矢印Ａは、後述する記録ヘッド５０が被記録物１００上を走査する方向を示す。以下、矢印Ａを水平方向にしてかつ装置本体３５の広い方の面を底面としてインクジェット式記録装置３０を載置することを「横置き」という。すなわち、インクジェット式記録装置３０が横置きされる場合に、当該書籍の裏表紙に相当する本体横底面４４を底面にして載置される。また、インクジェット式記録装置３０が横置きされる場合に、書籍の表表紙に相当する上面には、給紙トレイ１４０及びこの給紙トレイ１４０の一辺に配された屈曲部４８が配される。給紙トレイ１４０は、屈曲部４８の部分で屈曲する。
【００１１】
図２は、インクジェット式記録装置３０が横置きされた場合の使用状態を示す。図２に示すように、インクジェット式記録装置３０の筐体３２は、本体横底面４４に対向する面に配された給紙口１４２及び書籍の背表紙に対向する面に配された排紙口１７４を有する。インクジェット式記録装置３０の使用状態において、給紙トレイ１４０は、屈曲部４８の部分で上方に屈曲される。これにより、筐体３２に設けられた給紙口１４２が露出する。なお、筐体３２の内部に配される接続部カートリッジ１３１Ｂ、１３１Ｃ、１３１Ｍ、１３１Ｙ及びこれらと接続するインクカートリッジ１２０Ｂ、１２０Ｃ、１２０Ｍ、１２０Ｙについては後述する。
【００１２】
図３は、インクジェット式記録装置３０が縦置きされた場合の使用状態を示す。図３に示すように、インクジェット式記録装置３０は、書籍の背表紙に相当する本体縦底面４２を底面として載置される。以下、上述の矢印Ａを水平方向にしてかつ装置本体３５の狭い方の面を底面としてインクジェット式記録装置３０を載置することを「縦置き」という。これにより、装置本体３５は、２つの底面すなわち、横置きされた場合に底面となる本体横底面４４及び縦置きされた場合に底面となる本体縦底面４２を有する。図１から図３に示すインクジェット式記録装置３０において、本体縦底面４２と本体横底面４４とは直交しているので、インクジェット式記録装置３０が横置きされた場合は、縦置きされた場合から９０度回転した状態に相当する。
【００１３】
図４はインクジェット式記録装置３０を図１の矢印Ａに垂直な平面で切断した断面の概略を示す断面図であり、図５はインクジェット式記録装置３０から、筐体３２及び本体カバー４０を取り外して、インクジェット式記録装置３０の内部の概略を示す斜視図である。図４及び図５は、ともに図２に示した横置きの状態が示されている。
【００１４】
ここで以下に、図４及び図５に基づき、インクジェット式記録装置３０の各部の構成と機能の概略を説明する。インクジェット式記録装置３０は、上述の筐体３２及び本体カバー４０に加え、フレーム１１０と、給紙口１４２から挿入された被記録物１００を筐体３２の内部に給紙する給紙部１４１と、給紙された被記録物１００にインクを吐出して記録を行う記録部１６０と、記録部１６０にインクを供給するインク供給部１３０と、記録部１６０から吐出されたインクを廃液として回収する廃液部１３５と、記録が行われた被記録物１００をインクジェット式記録装置３０の外部に排紙する排紙部１７０とを備える。
【００１５】
給紙部１４１は、給紙口１４２から記録部１６０へ被記録物１００を案内する給紙ガイド１５０と、給紙口１４２の近傍に配された一対の給紙駆動ローラ１４４及び給紙従動ローラ１４６とを有する。給紙ガイド１５０は、給紙口１４２から記録ヘッド５０の下方に向けて湾曲する板状の部材であって、フレーム１１０に支持される。給紙駆動ローラ１４４は、回転自在にフレーム１１０に支持される。さらに、給紙駆動ローラ１４４は、回転軸に垂直な断面で略Ｄ字形状を有し、図示しないモータからの駆動力により回転軸まわりに回転する。給紙従動ローラ１４６は、給紙駆動ローラ１４４との間に被記録物１００を挟む位置に配され、回転自在にフレーム１１０に支持される。
【００１６】
記録部１６０は、被記録物１００へインクを吐出する記録ヘッド５０と、フレーム１１０に支持されて記録ヘッド５０を貫通するガイドシャフト５２と、記録ヘッド５０に把持された無端のタイミングベルト５４と、タイミングベルト５４を回転駆動するモータ５５とを有する。記録部１６０は、さらに、記録ヘッド５０においてインクが吐出される方向に対向して配されるプラテン１６１を有する。プラテン１６１は、ガイドシャフト５２と平行に延伸しており、フレーム１１０に回転可能に支持される。プラテン１６１は、給紙駆動ローラ１４４を駆動する不図示のモータにより給紙駆動ローラ１４４に同期して駆動される。
【００１７】
インク供給部１３０は、内部にインクを収容したインクカートリッジ１２０と着脱可能に接続するカートリッジ接続部１３１と、カートリッジ接続部１３１に接続されたインクカートリッジ１２０内に収容されたインクを記録ヘッド５０へ供給する供給チューブ１３２とを有する。カートリッジ接続部１３１は、軸２３０回りに回動可能に装置本体３５及び装置本体３５から内側に延伸する上フレーム２２０に支持される。
【００１８】
図４に示すように、本体縦底面４２には、軸２１０回りに回動することにより開閉することができる扉部２００を有する。扉部２００の大きさはインクカートリッジ１２０の大きさよりも一回り大きく、扉部２００を開けた状態でインクカートリッジ１２０を装置本体から出し入れすることができる。
【００１９】
排紙部１７０は、被記録物１００を記録ヘッド５０に対向する位置から排紙口１７４に案内する一対の板状の排紙ガイド下１８０及び排紙ガイド上１８２と、排紙ガイド下１８０側に配された排紙駆動ローラ１７１と、排紙駆動ローラ１７１に対向して配された排紙従動ローラ１７２とを有する。排紙駆動ローラ１７１は、回転自在にフレーム１１０に支持される。さらに、排紙駆動ローラ１７１は、給紙駆動ローラ１４４を駆動する不図示のモータにより給紙駆動ローラ１４４に同期して駆動される。排紙従動ローラ１７２は、排紙駆動ローラ１７１との間に被記録物１００を挟む位置に配され、回転自在にフレーム１１０に支持される。
【００２０】
廃液部１３５は、プラテン１６１の長手方向におけるプラテン１６１よりも外側に配されたキャップ６０と、キャップ６０に接続された廃液チューブ７０と、廃液チューブ７０の一部を把持する廃液ポンプ７２と、廃液チューブ７０に接続された廃液タンク８０とを有する。
【００２１】
以上の構成において、インクジェット式記録装置３０は以下の通りに被記録物１００上に記録を行う。まず、給紙口１４２から被記録物１００が挿入されると、給紙駆動ローラ１４４及び給紙従動ローラ１４６が被記録物１００を挟む。この状態で給紙駆動ローラ１４４が回転駆動されることにより給紙従動ローラ１４６が給紙駆動ローラ１４４に連れ回る。これにより、給紙駆動ローラ１４４及び給紙口１４２は、被記録物１００を給紙ガイド１５０に沿って図中矢印Ｂの方向へ給紙する。
【００２２】
被記録物１００が記録ヘッド５０とプラテン１６１との間に給紙されると、モータ５５がタイミングベルト５４を回転駆動することにより、タイミングベルト５４が記録ヘッド５０を本体縦底面４２の長手方向に沿って往復移動する。これにより記録ヘッド５０は被記録物１００上を往復移動しつつ、被記録物１００へインクを吐出することにより、被記録物１００に記録を行う。記録ヘッド５０が被記録物１００に対して一往復した後に、給紙駆動ローラ１４４及び給紙従動ローラ１４６が被記録物１００をさらに微少量だけ給紙し、その後、記録ヘッド５０は被記録物１００上を往復移動しつつ、被記録物１００へインクを吐出することにより、さらに被記録物１００に記録を行う。これを繰り返すことにより、記録ヘッド５０は、被記録物１００の一面にわたってインクを吐出して記録を行うことができる。
【００２３】
給紙駆動ローラ１４４及び給紙従動ローラ１４６が更に被記録物１００を給紙することにより、被記録物１００は排紙駆動ローラ１７１及び排紙従動ローラ１７２の間隙に到達する。排紙駆動ローラ１７１及び排紙従動ローラ１７２は、この間隙において被記録物１００を挟む。この状態で排紙駆動ローラ１７１が回転駆動されることにより、排紙従動ローラ１７２が排紙駆動ローラ１７１に連れ回る。これにより、排紙駆動ローラ１７１及び排紙従動ローラ１７２は、被記録物１００を排紙ガイド下１８０及び排紙ガイド上１８２の間に搬送して排紙口１７４からインクジェット式記録装置３０の外へ排出する。
【００２４】
なお、記録ヘッド５０からインクが吐出される向きはインクジェット式記録装置３０に対して固定されているので、インクジェット式記録装置３０が縦置きされる場合と横置きされる場合とで、載置面１０を基準面とすると記録ヘッド５０からインクが吐出される向きが異なる。図４に示す例においては、本体横底面４４を底面とする横置きの場合に、記録ヘッド５０は鉛直下方へインクを吐出する。このとき、本体縦底面４２を底面とする縦置きの場合に、インクジェット式記録装置３０は図４を右回りに９０度回転した姿勢となり、記録ヘッド５０は水平方向へインクを吐出する。
【００２５】
インクジェット式記録装置３０が待機状態の場合に、記録ヘッド５０はガイドシャフト５２に案内されてプラテン１６１の長手方向の外側にある待機位置に退避する（図５におけるプラテン１６１より右側）。記録ヘッド５０がこの位置に来た状態では、キャップ６０が記録ヘッド５０の下面を覆う。これにより、記録ヘッド５０が使用されない場合にインクの溶媒が蒸発してインクが記録ヘッド５０に目詰まりすることを防ぐ。また、インクジェット式記録装置３０が使用状態にあって、記録ヘッド５０のクリーニングを行なう場合またはフラッシングを行なう場合に、記録ヘッド５０は、プラテン１６１の長手方向の外側の待機位置に移動する。
【００２６】
クリーニング時に、待機位置において、キャップ６０は記録ヘッド５０の下面を覆う。この状態において、廃液ポンプ７２が廃液チューブ７０内を吸引することにより、記録ヘッド５０からキャップ６０へインクを強制的に吐出させる。また、インクのフラッシングの場合に、待機位置において、記録ヘッド５０へ印刷信号とは異なる信号を与えて記録ヘッド５０からインクを吐出させて記録ヘッド５０におけるインクのメニスカスを整える。上記クリーニング及びフラッシングにおいて吐出されたインクを、廃液としてキャップ６０が受け取り、廃液チューブ７０を通って廃液タンク８０が収容する。
【００２７】
図６は、インクカートリッジ１２０を示す概略斜視図である。インクカートリッジ１２０は、内部にインクを収容した本体と、本体の一面に配されたインク供給部１２２を有する。インク供給部１２２には、本体内部に収容したインクを外部に供給すべく開口したインク供給口１２４が配される。図６に示す形態において、インクカートリッジ１２０の本体は、インク供給部１２２が配された面が略正方形である略直方体形状を有している。しかしながらインクカートリッジ１２０の本体の形状はこれに限られない。他の例としてインクカートリッジ１２０の本体は、インク供給部１２２が配された面を円形状とする円筒形状であってもよい。また、図６に示す形態において、インク供給部１２２は、円筒形状を有してインクカートリッジ１２０の本体から突出している。しかしながらインク供給部１２２の形状はこれに限られない。他の例としてインク供給部１２２は角柱形状を有してもよい。
【００２８】
図７（ａ）及び（ｂ）は、インク供給部１３０を示す概略斜視図である。なお、図（ａ）及び（ｂ）においては、インクジェット式記録装置３０が横置きの場合におけるインク供給部１３０の向きを示している。ここで、図７（ａ）はインクカートリッジ１２０を脱着する場合におけるカートリッジ接続部１３１の姿勢を示し、図７（ｂ）はインクカートリッジ１２０が装置本体３５内に配された使用状態における姿勢を示す。
【００２９】
図７（ａ）に示すように、インク供給部１３０は、インクカートリッジ１２０のインク供給部１２２に接続するカートリッジ接続部１３１、及び、このカートリッジ接続部１３１と記録ヘッド５０とを連通する供給チューブ１３２を有する。カートリッジ接続部１３１は、インク供給部１２２の外形に対応して中空の円筒形状を有する接続部本体１３４、及びこの接続部本体１３４内に配された中空のインク供給針１３６を有する。インク供給部１３０のインク供給針１３６がインクカートリッジ１２０のインク供給口１２４に挿入されることにより、インクカートリッジ１２０とカートリッジ接続部１３１とが接続して、インクカートリッジ１２０に収容されたインクが、インク供給針１３６及び供給チューブ１３２を介して記録ヘッド５０に供給される。この場合に、接続部本体１３４がインク供給部１２２を覆うことにより気密性を保ち、インク供給口１２４からインク供給針１３６へ確実にインクを供給する。
【００３０】
上記構成によるカートリッジ接続部１３１は、軸２３０に取り付けられている。軸２３０は、装置本体３５及び上フレーム２２０に回動可能に支持されている。図７（ａ）に示す実施形態において、軸２３０はインクジェット式記録装置３０の横置きの状態において鉛直方向に延伸しているので、カートリッジ接続部１３０は、インクジェット式記録装置３０の横置きの状態における水平面内で回動することができる。図７（ａ）に示したカートリッジ接続部１３１の向き（図中の矢印Ｙの方向）は、インクカートリッジ１２０が装置本体３５内に配置される方向である図７（ｂ）に示す方向と直交するように回動することができる。図７（ａ）に示す矢印Ｙの上流側には、装置本体３５の扉部２００が配されている。
【００３１】
インクジェット式記録装置３０にインクカートリッジ１２０を装着する場合に、まず、扉部２００が開かれる。次に、図７（ａ）に示すように、装着側が扉部２００に向く姿勢にカートリッジ接続部１３１が回動される。この状態において、扉部２００からインクカートリッジ１２０がインク供給部１２２を先頭にして差し込まれ、インク供給部１２２がカートリッジ接続部１３１に接続される。
【００３２】
その後、図７（ｂ）及び図４に示すように、インクジェット式記録装置３０の縦置き及び前記横置きのいずれの場合もインク供給針１３６が水平方向を向くように、インクカートリッジ１２０が回動される（図中の矢印Ｒの方向）。これにより、インクカートリッジ１２０のインク供給口１２４は、インクジェット式記録装置３０の縦置き及び前記横置きのいずれの場合も水平方向を向くように、カートリッジ接続部１３１に接続される。よって、インクジェット式記録装置３０が縦置きされた場合におけるインクカートリッジ１２０のインク供給口１２４のインクの水頭値と、横置きされた場合におけるインクカートリッジ１２０のインク供給口１２４のインクの水頭値とを略同一にすることができる。従って、インクジェット式記録装置３０の縦置きと横置きとを変更した場合に、記録ヘッド５０からインク滴が垂れ出したり、逆に供給不足になることを防ぐことができる。
【００３３】
インクカートリッジ１２０の着脱時にカートリッジ接続部１３１を回転することができるので、縦置き及び横置きのいずれの場合もインクカートリッジ１２０のインク供給口１２４が水平方向を向く方向に、インクカートリッジ１２０を容易に設置することができる。さらに、使用時の方向に直交する方向にカートリッジ接続部１３１が向いた場合の装着側に扉部２００が配されているので、当該扉部２００からインクカートリッジ１２０を出し入れすることができ、インクカートリッジ１２０を容易に着脱することができる。
【００３４】
さらに、図２に示すように、インクジェット式記録装置３０は、複数のカートリッジ接続部１３１を有し、これら複数のカートリッジ接続部１３１にはそれぞれ異なるインクを収容する複数のインクカートリッジ１２０が接続される。図２に示す形態において、インクジェット式記録装置３０には、カラー印刷をすべく、黒色のインクを収容しているインクカートリッジ１２０Ｂ、シアンのインクを収容しているインクカートリッジ１２０Ｃ、マゼンタのインクを収容しているインクカートリッジ１２０Ｍ、イエローのインクを収容しているインクカートリッジ１２０Ｙが装着される。これに対応してこれらのインクカートリッジ１２０Ｂ、１２０Ｃ、１２０Ｍ、１２０Ｙに接続すべく、インクジェット式記録装置３０は、カートリッジ接続部１３１Ｂ、１３１Ｃ、１３１Ｍ、１３１Ｙを有する。
【００３５】
これらカートリッジ接続部１３１Ｂ、１３１Ｃ、１３１Ｍ、１３１Ｙは、図２に示すように、インクジェット式記録装置３０の縦置き及び前記横置きのいずれの場合も水平方向に略一直線上に並んで配される。よって、これらに接続されるインクカートリッジ１２０Ｂ、１２０Ｃ、１２０Ｍ、１２０Ｙの供給口も、インクジェット式記録装置３０の縦置き及び前記横置きのいずれの場合も水平方向に略一直線上に並んで配される。これにより、インクジェット式記録装置３０の縦置き及び横置きを変更した場合に、異なるインクカートリッジのインク間で水頭値がばらつくことを防ぐことができることができる。
【００３６】
この場合も、上述のようにカートリッジ接続部１３１Ｂ、１３１Ｃ、１３１Ｍ、１３１Ｙを、並び方向に直交する方向に回転することができるので、互いが他をじゃますることなく、インクカートリッジ１２０Ｂ、１２０Ｃ、１２０Ｍ、１２０Ｙを、インク供給口１２４の方向に一直線上に容易に設置することができる。
【００３７】
なお、図１から図７（ｂ）に示す実施形態において、扉部２００は本体縦底面４２に配されているが、これに限られない。他の例として、扉部２００が本体横底面４４に設けられてもよい。この場合には、カートリッジ接続部１３１は縦置きにおける水平面内に回動できることが好ましい。よって、この場合には図４における上下方向に延伸したフレームに対し、左右方向に延伸した軸２３０が回動できるように支持されていることが好ましい。
【００３８】
また、図１から図５に示すインクジェット式記録装置３０において、記録ヘッド５０が走査する方向を水平方向にしてかつ装置本体３５の広い方の面を底面としてインクジェット式記録装置３０を載置することを「横置き」とし、狭い方の面を底面として載置することを「縦置き」としたが、置き方の名称はこれに限られず、逆にしてもよい。また、装置本体３５における上記二つの底面の面積が等しい場合にはいずれを「縦置き」または「横置き」としてもよい。
【００３９】
また、図１から図５に示すインクジェット式記録装置３０は、縦置きの場合及び横置きの場合の両方において被記録物１００に記録をすることができるが、本発明の実施形態はこれに限られない。縦置きまたは横置きの一方において被記録物１００に記録をすることができるが、他方においては載置面１０に載置をすることはできるが被記録物１００に記録をすることができない形態であってもよい。
【００４０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４１】
【図１】本発明の実施形態に係るインクジェット式記録装置３０が横置きされた状態を示す。
【図２】インクジェット式記録装置３０が横置きされた場合の使用状態を示す。
【図３】インクジェット式記録装置３０が縦置きされた場合の使用状態を示す。
【図４】インクジェット式記録装置３０を図１の矢印Ａに垂直な平面で切断した断面の概略を示す断面図である。
【図５】インクジェット式記録装置３０の内部の概略を示す斜視図である。
【図６】インクカートリッジ１２０を示す概略斜視図である。
【図７】（ａ）及び（ｂ）は、インク供給部１３０を示す概略斜視図である。
【符号の説明】
【００４２】
１０  載置面、３０  インクジェット式記録装置、３２  筐体、３５  装置本体、４０  本体カバー、４２  本体縦底面、４４  本体横底面、４８  屈曲部、５０  記録ヘッド、５２  ガイドシャフト、５４  タイミングベルト、５５  モータ、５６  足、６０  キャップ、７０  廃液チューブ、７２  廃液ポンプ、８０  廃液タンク、１００  被記録物、１１０  フレーム、１２０  インクカートリッジ、１２２  インク供給部、１２４  インク供給口、１３０  インク供給部、１３１  カートリッジ接続部、１３２  供給チューブ、１３４  接続部本体、１３５  廃液部、１３６  インク供給針、１４０  給紙トレイ、１４１  給紙部、１４２  給紙口、１４４  給紙駆動ローラ、１４６  給紙従動ローラ、１５０  給紙ガイド、１６０  記録部、１６１  プラテン、１７０  排紙部、１７１  排紙駆動ローラ、１７２  排紙従動ローラ、１７４  排紙口、１８０  排紙ガイド下、１８２  排紙ガイド上、２００  扉部、２１０  軸、２２０  上フレーム、２３０  軸
【図１】
2006192664.tif 000003
【図２】
2006192664.tif 000004
【図３】
2006192664.tif 000005
【図４】
2006192664.tif 000006
【図５】
2006192664.tif 000007
【図６】
2006192664.tif 000008
【図７】
2006192664.tif 000009